(57)【特許請求の範囲】
【請求項１】
パネル貫通孔の周縁に対する嵌着部を有する大径筒部と、
パネル貫通孔を貫通する電線が内部に通される小径筒部と、
前記小径筒部の軸線方向先端側と前記大径筒部の先端部とをつなぐことで大径筒部と小径筒部間の空間を塞ぎ、且つ、前記小径筒部の基端方向に向けて縮径する円錐形状に形成され、自身の外周部を支点としてその円錐形状の向きが逆になるように反転することで自身の弾性変形により大径筒部に対する小径筒部の軸線方向の変位を可能にする遮蔽壁と、
該遮蔽壁よりも小径筒部の基端側に配され、小径筒部の基端の延長方向に向けて拡径する円錐壁形状に形成されて内周端が小径筒部の外周に接合され、且つ、大径筒部に対して小径筒部をその先端方向に変位させたとき、自由端として延出する外周端が大径筒部の内周に突設された環状の係合凸部を乗り越えて大径筒部の内周側に入り込み、その状態から前記変位を解除したとき、前記遮蔽壁が初期形状へ戻ろうとする復元力により小径筒部を初期位置に戻し、外周端が前記係合凸部に係合することで、自身の内周側部分を支点にして前記初期形状と逆向きの円錐壁形状に反転し、それにより前記遮蔽壁との間に閉空間を形成する遮音壁とを備え、
前記遮音壁の少なくとも外周部を撓み変形可能に構成すると共に、前記環状の係合凸部を、その周方向の複数箇所に半径方向のスリットを入れることで撓み変形可能に構成したことを特徴とするグロメット。
【発明の詳細な説明】
【０００１】
【発明の属する技術分野】
本発明は、内部に空気層（閉空間）を作り遮音効果を高めるタイプのグロメットに関する。
【０００２】
【従来の技術】
この種のグロメットとして、特開平９−２８９７２３号公報に記載のものが知られている。図５は同公報に記載されたグロメットの構成及びパネルに対する組み付け手順を示す断面図である。
【０００３】
このグロメットは、パネルＰの貫通孔Ｐａの周縁に対する嵌着溝（嵌着部）２を外周に有する大径筒部１と、パネル貫通孔Ｐａを貫通する電線（ワイヤーハーネス）Ｗが内部に通される小径筒部３と、小径筒部３の軸線方向中間部と大径筒部１の先端部とをつなぐことで大径筒部１と小径筒部３間の空間を塞ぎ、且つ、自身の弾性変形により大径筒部１に対する小径筒部３の軸線方向の変位を可能にする遮蔽壁４と、この遮蔽壁４よりも小径筒部３の基端側に配されて小径筒部３の外周より半径方向外方に垂直に突設された環状の遮音壁５と、大径筒部１の基端部内周に設けられた環状の係合凸部９とを備えている。
【０００４】
このグロメットを使用する場合には、まず、（ａ）に示すように、電線Ｗを小径筒部１の中に通した後、電線Ｗをパネル貫通孔Ｐａに貫通させる。そして、（ｂ）に示すように、電線Ｗを引っ張ることで小径筒部３の先端をパネル貫通孔Ｐａに通すと共に、遮蔽壁４に連結した大径筒部１をパネル貫通孔Ｐａの周縁に当てる。その状態で更に電線Ｗを引っ張ると、（ｃ）に示すように、小径筒部３に内周部が引っ張られた形で遮蔽壁４が軸線方向に伸び、その遮蔽壁４に引っ張られながら、大径筒部１の嵌着溝２がパネル貫通孔Ｐａの周縁に嵌着する。
【０００５】
その際、遮蔽壁４の変形により、大径筒部１に対して小径筒部３が先方に変位することになるので、それに伴って、小径筒部３の基端側外周に形成してある遮音壁５の外周端が、大径筒部１の内周に形成してある環状の係合凸部９を乗り越えて大径筒部１の内部に入り込む。
【０００６】
次いで、このように遮音壁５が大径筒部１の内部に入り込み、且つ、大径筒部１の嵌着溝２がパネル貫通孔Ｐａの周縁に嵌着したら、電線Ｗの引っ張り力を解除する。そうすると、遮蔽壁４の復元作用により、（ｄ）に示すように、小径筒部３が元の位置に向けて戻り、遮音壁５の外周端５ａが大径筒部１の内周の環状の係合凸部９に係合して、遮音壁５と遮蔽壁４との間に空気を閉じ込めた閉空間７が形成される。それにより、グロメットの遮音性が高められる。
【０００７】
【発明が解決しようとする課題】
ところで、図５に示した従来のグロメットは、大径筒部１の内周に環状の係合凸部９を設け、小径筒部３に軸線方向と直交する方向に突設した遮音壁５の外周端を、その係合凸部９に引っ掛けることで、遮音のための閉空間７を形成するようにしているが、（ｄ）のように閉空間７を備えた最終形状を保つためには、係合凸部９と遮音壁５とに、ある程度の剛性を持たせなくてはならない。
【０００８】
その一つの理由は、上記のグロメットでは、遮音性を保持するために遮蔽壁４の復元力によって遮音壁５を係合凸部９に密着させる構成にしているので、その復元力に打ち勝つように、遮音壁５と係合凸部９の係合状態を保っておかなければならないからである。また、もう一つの理由は、（ｄ）の使用状態において、電線Ｗに対して横方向の力が働き、大径筒部１に対して小径筒部３が傾くような場合にも、遮音壁５が大径筒部１から外れないようにしておく必要があるからである。
【０００９】
従って、遮音壁５と係合凸部９の剛性を高くしているがゆえに、（ｂ）から（ｃ）に移行する過程において、つまり、係合凸部９を乗り越えて遮音壁５を大径筒部１の内部に挿入する過程において、大きな力が必要であり、従って大径筒部１の内部に遮音壁５を挿入しにくいという問題があった。
【００１０】
また、反対に、挿入力を小さくするために、係合凸部９や遮音壁５の剛性を落とすことも考えられる。しかし、ただ単に係合凸部９や遮音壁５の剛性を落とすと、係合凸部９と遮音壁５の係合が外れやすくなってしまい、外れた場合には密閉された空気層がなくなって、遮音性が保てなくなるおそれが出てくる。
【００１１】
本発明は、上記事情を考慮し、小さな挿入力で遮音壁を大径筒部内に挿入することができると共に、いったん遮音壁を大径筒部内に挿入したら、遮音壁が外れにくいようにすることができ、それにより確実な遮音性を保つことのできるグロメットを提供することを目的とする。
【００１２】
【課題を解決するための手段】
請求項１の発明は、パネル貫通孔の周縁に対する嵌着部を有する大径筒部と、
パネル貫通孔を貫通する電線が内部に通される小径筒部と、前記小径筒部の軸線方向先端側と前記大径筒部の先端部とをつなぐことで大径筒部と小径筒部間の空間を塞ぎ、且つ、前記小径筒部の基端方向に向けて縮径する円錐形状に形成され、自身の外周部を支点としてその円錐形状の向きが逆になるように反転することで自身の弾性変形により大径筒部に対する小径筒部の軸線方向の変位を可能にする遮蔽壁と、該遮蔽壁よりも小径筒部の基端側に配され、小径筒部の基端の延長方向に向けて拡径する円錐壁形状に形成されて内周端が小径筒部の外周に接合され、且つ、大径筒部に対して小径筒部をその先端方向に変位させたとき、自由端として延出する外周端が大径筒部の内周に突設された環状の係合凸部を乗り越えて大径筒部の内周側に入り込み、その状態から前記変位を解除したとき、前記遮蔽壁が初期形状へ戻ろうとする復元力により小径筒部を初期位置に戻し、外周端が前記係合凸部に係合することで、自身の内周側部分を支点にして前記初期形状と逆向きの円錐壁形状に反転し、それにより前記遮蔽壁との間に閉空間を形成する遮音壁とを備え、前記遮音壁の少なくとも外周部を撓み変形可能に構成すると共に、前記環状の係合凸部を、その周方向の複数箇所に半径方向のスリットを入れることで撓み変形可能に構成したことを特徴としている。
【００１３】
このグロメットを使用する場合には、まず、電線を小径筒部の中に通した後、電線をパネル貫通孔に貫通させる。そして、電線を引っ張ることで小径筒部の先端をパネル貫通孔に通すと共に、遮蔽壁に連結した大径筒部をパネル貫通孔の周縁に当てる。その状態で更に電線を引っ張ると、小径筒部に内周部が引っ張られた形で遮蔽壁が軸線方向に変形し、その遮蔽壁に引っ張られながら、大径筒部の嵌着部がパネル貫通孔の周縁に嵌着する。その際、遮蔽壁の変形により、大径筒部に対して小径筒部が先方に変位することになるので、それに伴って、小径筒部の基端側外周に形成してある遮音壁の外周端が、大径筒部の内周に突設された環状の係合凸部を乗り越えて大径筒部の内周側に入り込む。
【００１４】
このとき、遮音壁は、大径筒部内に入り込む方向に窄まった円錐壁形状をなしている（つまり、遮音壁の円錐壁形状の向きが大径筒部内に入り込む方向に対し順方向となっている）ので、引っ掛かり抵抗をあまり生じずに、小さな力で容易に大径筒部内に入り込ませることができる。また、遮音壁は、少なくともその外周部が撓みやすくなっている上、遮音壁の外周端と係合する環状の係合凸部も、その周方向の複数箇所にスリットが入れられることで撓みやすくなっている。このため、両者の撓みにより小さな力で容易に係合凸部を乗り越えて遮音壁を大径筒部の内部に入り込ませることができる。
【００１５】
このように遮音壁が大径筒部の内周に入り込み、且つ、大径筒部の嵌着部がパネル貫通孔の周縁に嵌着したら、電線の引っ張り力を解除する。そうすると、遮蔽壁自身の復元作用により小径筒部が元の位置に戻り、それに伴って遮音壁の外周端が大径筒部の内周の係合凸部に係合し、それにより遮音壁は、自身の内周部を支点にして反転し、前記の初期形状と逆向きの円錐壁形状となって、遮蔽壁との間に閉じた空間を形成する。この際、遮音壁の外周端は、遮音壁自身が初期形状に戻ろうとする復元力によって係合凸部に強く密着させられるので密閉性が高まる。そして、この空間が外部と遮断された空気層として機能することで、グロメットの遮音性が高められる。
【００１６】
このような使用状態において、遮音壁の外周端が係合凸部から外れるには、遮音壁が更に変形する必要があるが、いったん係合凸部に遮音壁が係合した状態では、係合凸部と遮音壁との引っ掛かり代（係合代）が、組み付けに際して係合凸部を遮音壁が乗り越える時よりも大きくなる（遮音壁が円錐壁形状に設定されているがゆえに）ので、容易に係合が外れない。つまり、引っ掛かり代が大きいことにより、遮音壁も係合凸部も撓み変形しながら、できる限り係合状態を維持するようになるので、簡単に係合が外れなくなる。従って、確実に空気層を維持することができて、高い遮音性を確保できる。
【００１７】
また、実際の使用条件によっては、電線に横方向の力が作用することなどによって、大径筒部に対して小径筒部が傾くような場合があるが、そのような場合にも前記のように、遮音壁の形状設定によって、係合凸部と遮音壁の係合状態ができる限り維持されるようになっているので、閉空間が気密に保たれる。従って、遮音壁や係合凸部が撓みやすくなっているからといって、遮音壁が外れる問題が簡単には起こらない。これは、遮音壁が円錐壁形状になっていることと、遮音壁と係合凸部の双方が撓みやすなっていることの相乗効果であると言うことができる。
【００１９】
このグロメットでは、電線を引っ張ることで反転した遮蔽壁が初期形状に戻るときの強い反転復元力で、小径筒部を初期位置に戻す。従って、小径筒部の引っ張り力を解除すると、強い力で小径筒部が初期位置に戻るのに引きずられて、遮音壁も一気に反転して閉空間を形成する。つまり、遮蔽壁の強い反転復元力を遮音壁を反転させる力として利用するので、ある程度まで電線を引っ張って力を加えた後は、電線の引っ張りを解除しさえすれば、自動的に正しい状態に組み付けが行われる。
【００２０】
【発明の実施の形態】
以下、本発明の実施形態を図面に基づいて説明する。
【００２１】
図１は実施形態のグロメットの構成を示す図で、（ａ）は断面図、（ｂ）は（ａ）のＩｂ−Ｉｂ矢視図、図２はグロメットをパネルの貫通孔に装着しようとしている途中の状態を示す図で、（ａ）は断面図、（ｂ）は（ａ）のＩＩｂ部分の拡大図、図３は装着した状態を示す断面図である。
【００２２】
このグロメットは図１に示すように、パネルＰの貫通孔Ｐａの周縁に対する嵌着溝（嵌着部）３２を外周に有する大径筒部３１と、この大径筒部３１の内部に同芯に配され且つパネル貫通孔Ｐａを貫通する電線（ワイヤーハーネス）Ｗが内部に通される小径筒部３３と、小径筒部３３の軸線方向の中間部と大径筒部３１の先端部とをつなぐことで大径筒部３１と小径筒部３３間の空間を塞ぎ、且つ、自身の弾性変形により大径筒部３１に対する小径筒部３３の軸線方向の変位を可能にする遮蔽壁３４と、この遮蔽壁３４よりも小径筒部３３の基端側に配され、小径筒部３３の基端の延長方向に向けて拡径する円錐壁形状に形成されて、内周端が小径筒部３３の外周に接合された遮音壁３５とを備えている。
【００２３】
遮音壁３５は、図２に示すように、大径筒部３１に対して小径筒部３３をその先端方向に変位させたとき、自由端として延出する外周端が、大径筒部３１の内周に形成した環状の係合凸部３９を乗り越えて、大径筒部３１の内周側に入り込み、その状態から前記変位を解除したとき、図３に示すように、外周端が大径筒部３１の内周の係合凸部３９に係合することで、自身の内周側部分を支点にして初期形状と逆向きの円錐壁形状に反転し、それにより遮蔽壁３４との間に閉空間３７を形成するものである。
【００２４】
ここで、遮音壁３５は撓み変形できるように柔軟に形成されている。また、大径筒部１の内周に設けた環状の係合凸部３９も、図１（ｂ）に示すように、その周方向の複数箇所に半径方向のスリット４０を入れることにより、柔軟に撓み変形できるように構成されている。
【００２５】
また、遮蔽壁３４は、小径筒部３３の基端方向に向けて縮径する円錐壁形状に形成され、且つ、自身の外周部を支点としてその円錐壁形状の向きが逆になるように反転することで、小径筒部３３の変位を許容するものとされており、この遮蔽壁３４が初期形状へ戻ろうとする復元力により、小径筒部３３を初期位置に戻して、遮音壁３５を反転させるようになっている。
【００２６】
また、小径筒部３３の基端部には、小径筒部３３よりも径大とされ、小径筒部３３に通される電線Ｗの隙間を埋める止水材を充填するための充填用カップ部３８が設けられている。
【００２７】
次に作用を説明する。
【００２８】
このグロメットを使用する場合には、まず、図１に示すように、電線Ｗを小径筒部３３の中に通した後、溶融状態の止水材（図示略）を充填用カップ部３８に充填（この工程では充填用カップ部３８を上に向ける）して、電線Ｗの隙間に止水材を行き渡らせ、硬化した止水材により電線Ｗの隙間を埋める。
【００２９】
そして、この状態のグロメット付き電線Ｗの先端を、パネルＰの貫通孔Ｐａに貫通させる。次いで電線Ｗを力Ｆで引っ張ることで、小径筒部３３の先端をパネル貫通孔Ｐａに通すと共に、遮蔽壁３４に連結した大径筒部３１をパネル貫通孔Ｐａの周縁に当てる。
【００３０】
その状態で更に電線Ｗを引っ張ると、図２に示すように、小径筒部３３に内周部が引っ張られた形で遮蔽壁３４が軸線方向に変形し、その遮蔽壁３４に引っ張られながら、大径筒部３１の嵌着溝３２がパネル貫通孔Ｐａの周縁に嵌着する。その際、遮蔽壁３４の変形により、大径筒部３１に対して小径筒部３３が先方に変位することになるので、それに伴って、小径筒部３３の基端側外周に形成してある遮音壁３５の外周端３５ａが、大径筒部３１の内周の係合凸部３９を乗り越えて大径筒部３１の内周に入り込む。
【００３１】
このとき、遮音壁３５は、大径筒部３１内に入り込む方向に窄まった円錐壁形状をなしている（つまり、遮音壁３５の円錐壁形状の向きが大径筒部３１内に入り込む方向に順方向となっている）ので、引っ掛かり抵抗をあまり生じずに、小さな力で容易に大径筒部３１内に入り込ませることができる。また、遮音壁３５が撓みやすくなっている上、遮音壁３５の外周端と係合する環状の係合凸部３９も撓みやすくなっているので、図２（ｂ）に示すように、両者の撓みにより小さな力で容易に係合凸部３９を乗り越えて遮音壁３５を大径筒部３１の内部に入り込ませることができる。
【００３２】
このように遮音壁３５が大径筒部３１の内周に入り込み、且つ、大径筒部３１の嵌着溝３２がパネル貫通孔Ｐａの周縁に嵌着したら、電線Ｗの引っ張り力を解除する。そうすると、図３に示すように、遮蔽壁３４の復元作用により小径筒部３３が元の位置に戻ることで、それに伴って遮音壁３５の外周端が大径筒部３１の内周の係合凸部３９に引っ掛かり、それにより遮音壁３５は、自身の内周部を支点にして反転し、前記の初期形状と逆向きの円錐壁形状となって、遮蔽壁３４との間に閉じた空間３７を形成する。この際、遮音壁３５の外周端は、遮音壁３５自身が初期形状に戻ろうとする復元力によって係合凸部３９に強く密着させられることになるので、閉空間３７の高い密閉性が維持される。そして、この閉空間３７が外部と遮断された空気層として機能することで、グロメットの遮音性が高められる。
【００３３】
以上のように、この実施形態のグロメットでは、大径筒部３１内に入り込んで遮蔽壁３４との間に閉空間（空気層）３７を形成する遮音壁３５を、外に広がる円錐壁形状に形成しているので、大径筒部３１内に入り込ませるときに小さな力で入れることができる。また、図３に示すように、この遮音壁３５を、当該遮音壁３５が大径筒部３１の内側に入り込んだ状態で小径筒部３３が元に戻ったときに反対向きの円錐壁形状に反転するように構成しているので、反転後は大径筒部３１から簡単に外れないようにすることができる。
【００３４】
即ち、図３に示す使用状態において、遮音壁３５の外周端が大径筒部３１の係合凸部３９から外れるには、遮音壁３５が更に変形する必要があるが、いったん係合凸部３９に遮音壁３５が係合した状態では、係合凸部３９と遮音壁３５との引っ掛かり代（係合代）が、組み付けに際して係合凸部３９を遮音壁３５が乗り越える時よりも大きくなる（遮音壁３５が逆向きの円錐壁形状に形成されているがゆえに）ので、容易には係合が外れない。従って、確実に空気層を維持することができて、高い遮音性を確保できる。
【００３５】
また、実際の使用条件によっては、図４に示すように、電線Ｗに横方向の力が作用することなどによって、大径筒部３１に対して小径筒部３３が傾くような場合があるが、そのような場合にも、係合凸部３９と遮音壁３５の係合状態が、両者が互いに追従しながら撓むことによって、できる限り維持される。従って、遮音壁３５の係合が簡単に外れるような問題は起こらず、閉空間３７が気密に保たれる。
【００３６】
また、遮音壁３５は小径筒部３３の外周に一体化してあり、しかも外向きに開いた円錐壁形状に形成してあるので、小径筒部３３の基端側に止水材の充填用カップ部３８を設けるに当たっても、金型による成形を容易に実現することができる。しかも、反転して初期形状とは逆向きの円錐壁形状になった遮音壁３５は、自身の戻り力により大径筒部３１の内周の係合凸部３９に対して強く密着するので、閉空間３７の気密性が確実に保たれる。
【００３７】
また、このグロメットの場合、遮蔽壁３４の形状を遮音壁３５と逆向きの円錐壁形状に形成し、図２のように電線Ｗを引っ張ることで反転した遮蔽壁３４が図３のように初期形状に戻るときの強い反転復元力で小径筒部３３を初期位置に戻すようにしているので、小径筒部３３の引っ張り力を解除するだけで、小径筒部３３が初期位置に戻る強い力に引きずられて、遮音壁３５を一気に反転させることができ、閉空間３７を形成することができる。
【００３８】
つまり、遮蔽壁３４の強い反転復元力を、遮音壁３５を反転させる力として有効に利用することができるようにしているので、ある程度まで電線Ｗを引っ張って力を加えた後は、電線Ｗの引っ張りを解除しさえすれば、自動的に正しい状態にグロメットを組み付けることができる。
【００３９】
なお、上記実施形態では、小径筒部３３の基端部に充填用カップ部３８を設けているが、充填用カップ部３８は省略してもよい。
【００４０】
【発明の効果】
以上説明したように、請求項１の発明によれば、大径筒部内に入り込んで遮蔽壁との間に閉空間（空気層）を形成する遮音壁を、外に広がる円錐壁形状に形成すると共に、遮音壁と係合凸部の双方を柔軟に撓むように構成したので、大径筒部内に遮音壁を入り込ませるときに小さな力で入れることができる。また、いったん遮音壁を大径筒部内に入れて係合凸部に遮音壁を係合させた状態では、たとえ小径筒部に傾斜させる力が働いても、遮音壁と係合凸部が撓み変形しながら追従するので、係合が外れにくくなり、確実な遮音性を維持することができる。
【００４１】
また、遮蔽壁の反転復元力を利用して遮音壁を反転させるようにしているので、組み付けが簡単、確実にできる。
【図面の簡単な説明】
【図１】実施形態のグロメットの構成を示す図で、（ａ）は断面図、（ｂ）は（ａ）のＩｂ−Ｉｂ矢視図である。
【図２】実施形態のグロメットをパネル貫通孔に装着しようとしている途中の状態を示す図で、（ａ）は断面図、（ｂ）は（ａ）のＩＩｂ部分の拡大図である。
【図３】実施形態のグロメットをパネル貫通孔に装着した状態を示す断面図である。
【図４】実施形態のグロメットにおいて、小径筒部が傾いたときの遮音壁と係合凸部の関係を示す要部断面図である。
【図５】（ａ）〜（ｄ）は、従来のグロメットの構成及びパネル貫通孔に対する装着手順を示す断面図である。
【符号の説明】
３１  大径筒部
３２  嵌着溝（嵌着部）
３３  小径筒部
３４  遮蔽壁
３５  遮音壁
３９  係合凸部
４０  スリット
Ｐａ  パネル貫通孔
【図１】
0003825278.tif 000002
【図２】
0003825278.tif 000003
【図３】
0003825278.tif 000004
【図４】
0003825278.tif 000005
【図５】
0003825278.tif 000006